(57)【要約】【課題】補聴器を眼鏡に着脱自在に装着でき、かつ長期にわたって安定して補聴器を装着できる補聴器付眼鏡を提供する【解決手段】眼鏡の左右一対のつるの内、少なくとも一方のつるの自由端部に凹部を形成する。その凹部には、マイク、増幅器、電源などを内蔵する補聴器本体が差し込まれる。また、凹部にはバネ部が固定されており、そのバネ部が補聴器本体を着脱自在に保持する。金属製のバネ部によって補聴器本体を保持するので、経年劣化や磨耗による劣化が生じにくい。【選択図】図２
2007108254.tif 000002
【特許請求の範囲】
【請求項１】
眼鏡と、
その眼鏡の左右一対のつるの内、少なくとも一方のつるの自由端部に形成された凹部と、
その凹部に差し込まれる補聴器本体と、
前記凹部内に、別部材として設けられるか又は前記つると一体に形成され、弾性変形することにより前記補聴器本体を着脱自在に保持するバネ部と、
前記補聴器本体に内蔵され、集音した音声を電気信号に変換するマイクと、
前記電気信号を増幅する増幅器と、
増幅された前記電気信号を音声に変換する音声出力部と、
を備えることを特徴とする補聴器付眼鏡。
【請求項２】
前記バネ部は、前記補聴器本体に係合するように少なくとも一部が折り曲げられた金属板から構成され、その折曲部が弾性変形することにより前記補聴器本体を着脱自在に保持する請求項１記載の補聴器付眼鏡。
【請求項３】
前記凹部は前記つるの上面に形成され、前記凹部に前記補聴器本体を差し込んだ際に該補聴器本体の一部が前記凹部の開口から上方に突出し、その補聴器本体の突出した部分に前記マイクが設けられている請求項１または２記載の補聴器付眼鏡。
【請求項４】
眼鏡と、
その眼鏡の左右一対のつるの内、少なくとも一方のつるの自由端部の上面に形成された凹部と、
その凹部に差し込まれ、その差し込まれた状態で前記凹部の開口から自身の一部が上方に突出する補聴器本体と、
前記凹部内に配置され、該凹部の底面に固着されるとともに、前記補聴器本体に係合するように前端部および後端部がそれぞれ折り曲げられた金属板から構成され、前端部に形成された前側折曲部と、後端部に形成された後側折曲部とのうち、少なくとも一方の折曲部が弾性変形することにより前記補聴器本体を着脱自在に保持するバネ部と、
前記補聴器本体のうち前記凹部の開口から突出する部分に設けられ、集音した音声を電気信号に変換するマイクと、
前記電気信号を増幅する増幅器と、
増幅された前記電気信号を音声に変換する音声出力部と、
前記補聴器本体に連なり、前記音声出力部からの音声を伝達する中空のパイプと、
そのパイプの端部に設けられ、該パイプを伝達した音声の出口になり、使用者の耳に装着される耳装着部と、
を備え、前記バネ部に形成された前側折曲部および後側折曲部のうち一方の折曲部には、前記つるに関して内側に位置する内側端部と、外側に位置する外側端部と、これら内側端部および外側端部を隔てる中央切欠部が形成され、その中央切欠部を前記パイプが通ることを特徴とする補聴器付眼鏡。
【請求項５】
前記バネ部に形成された前側折曲部および後側折曲部のうち少なくとも一方の折曲部は、
前記凹部の前記底面から上方に向けて折り曲げられた第一折曲部と、
その第一折曲部から上方に延びる前記バネ部が前記凹部の開口から突出しないように該バネ部を下方に向けて折り曲げた第二折曲部とを含む請求項４記載の補聴器付眼鏡。
【請求項６】
眼鏡と、
その眼鏡の左右一対のつるの内、少なくとも一方のつるの自由端部の上面に形成された凹部と、
その凹部に差し込まれ、その差し込まれた状態で前記凹部の開口から自身の一部が突出する補聴器本体と、
その補聴器本体を保持するためのバネ部であって、前記つるの内側面および外側面にそれぞれ回転自在に設けられた内側回転軸および外側回転軸と、それらの回転軸に連なり且つ該回転軸に対して折り曲げられた内側主軸および外側主軸と、それら内側主軸および外側主軸とを繋ぐ連結軸とを含み、前記内側主軸および外側主軸が前記つるの前方または後方に回転されて前記凹部に前記補聴器本体が着脱自在となる着脱自在状態と、前記凹部に前記補聴器本体が差し込まれた後に前記内側主軸および外側主軸が前記つるに対して直立姿勢に回動されることにより前記連結軸が前記補聴器本体の上面に当接して該補聴器本体と前記つるとの分離が防止される分離防止状態と、の二状態が取られるバネ部と、
前記補聴器本体に内蔵され、集音した音声を電気信号に変換するマイクと、
前記電気信号を増幅する増幅器と、
増幅された前記電気信号を音声に変換する音声出力部と、
を備えることを特徴とする補聴器付眼鏡。
【請求項７】
補聴器本体を装着するための凹部が自由端部に形成された左右一対のつると、前記凹部が形成されていない左右一対のつるとの合計４種のつるを用意するステップと、
その４種のつるの中から、顧客の耳の状態に合わせて、補聴器を使用する側には前記凹部が形成されたつるを選択し、前記補聴器を使用しない側には前記凹部が形成されていないつるを選択して眼鏡を作成するステップと、
を含むことを特徴とする補聴器付眼鏡の調整方法。
【請求項８】
前記凹部が形成された左右一対のつるは、該つるの中心となる芯金と、その芯金を取り囲むように設けられたモダン部とを備え、前記凹部は前記モダン部に形成され、
前記つるは、折り曲げられていない状態で用意され、
前記凹部が形成されたつるが選択された後に、その選択されたつるを、前記顧客の耳に合わせた位置において折り曲げる際に、その折り曲げた位置から前記凹部までの距離が離れすぎないように前記芯金を切断して長さ調整するステップを含む請求項７記載の補聴器付眼鏡の調整方法。
【発明の詳細な説明】
【技術分野】
【０００１】
本発明は、補聴器付眼鏡およびその調整方法に関するものである。
【背景技術】
【０００２】
下記特許文献１には、眼鏡のつるの内部にマイク、電源、増幅器、プリント基板などを組み込んで一体化させた眼鏡型補聴器が開示されている。眼鏡のつるから導線が出てイヤホンと電気接続しており、使用者はそのイヤホンを使って周囲の音声を聴くことができる。つると補聴器とが一体化しているので、使用者は眼鏡と補聴器とを別々に所持する必要が無くなる。
【特許文献１】実開昭６３−９５３９９号公報
【発明の開示】
【発明が解決しようとする課題】
【０００３】
一方、補聴器は単体で販売されている。使用者の中には、補聴器を単体で耳にかけて使用する人もいるが、補聴器は小型であるため紛失しやすいという問題がある。そこで、補聴器を眼鏡に装着して使用することにより、紛失しにくくできる補聴器付眼鏡が望まれていた。補聴器の使用者の中には眼鏡を使用する人もいるため、補聴器を眼鏡に装着して使用すると紛失しにくくなり便利である。
【０００４】
ところで、補聴器は湿気に弱いものであり、眼鏡をかけたまま風呂に入ると故障してしまう問題がある。そのため、補聴器と眼鏡との着脱が容易な補聴器付眼鏡が望まれていた。
【０００５】
そこで、眼鏡のつるに凹部を形成して、小型の補聴器をその凹部に装着し、凹部との摩擦によって保持する方法が考えられた。しかし、眼鏡のつるはプラスチック素材で形成されていることが多いため、経年劣化や磨耗によって凹部が広がり、補聴器がぐらついたり外れやすくなったりする問題があった。
【０００６】
本発明は上述のような事情を背景になされたもので、特に、補聴器を眼鏡に着脱自在に装着でき、かつ長期にわたって安定して補聴器を装着できる補聴器付眼鏡を提供することを課題とする。
【課題を解決するための手段および発明の効果】
【０００７】
本発明は、眼鏡と、
その眼鏡の左右一対のつるの内、少なくとも一方のつるの自由端部に形成された凹部と、
その凹部に差し込まれる補聴器本体と、
前記凹部内に、別部材として設けられるか又は前記つると一体に形成され、弾性変形することにより前記補聴器本体を着脱自在に保持するバネ部と、
前記補聴器本体に内蔵され、集音した音声を電気信号に変換するマイクと、
前記電気信号を増幅する増幅器と、
増幅された前記電気信号を音声に変換する音声出力部と、
を備えることを特徴とする補聴器付眼鏡である。
【０００８】
上記本発明の補聴器付眼鏡によると、眼鏡の左右一対のつるの内、少なくとも一方のつるの自由端部に凹部が形成されており、その凹部に補聴器本体が差し込まれる。より詳しくは、眼鏡のつるは金属製の芯金と、その芯金の周りを取り囲む合成樹脂製の部材（モダン部とも呼ばれる）とを含み、そのモダン部に凹部が形成されている。この凹部に補聴器本体を差し込み、摩擦を利用して保持する構成を採用すると、合成樹脂が経年劣化したり磨耗したりするため、凹部が広がり、補聴器本体がぐらついたり外れやすくなったりする。しかし本発明では凹部の中にバネ部を形成し、このバネ部によって補聴器本体を保持している。そのため、長期にわたって安定して使用することができる。このバネ部は、つるとは別部材として形成してもよく、また、つるを構成する部材（合成樹脂）と一体に形成してもよい。
【０００９】
また、上記本発明は、次のようにすることができる。すなわち、
前記バネ部は、前記補聴器本体に係合するように少なくとも一部が折り曲げられた金属板から構成され、その折曲部が弾性変形することにより前記補聴器本体を着脱自在に保持する補聴器付眼鏡。
【００１０】
上記本発明によると、金属板の一部を折り曲げて補聴器本体に係合するようにしている。このようにすると、補聴器本体を差し込んだ時に金属板の折曲部が弾性変形し、補聴器本体を好適に保持することができる。金属板は経年劣化や磨耗が起きにくい。また、補聴器本体を引き抜いた時には、折曲部が弾性変形して、補聴器本体を適度な力で脱着することができる。
【００１１】
また、本発明は次のようにしてもよい。
前記凹部は前記つるの上面に形成され、前記凹部に前記補聴器本体を差し込んだ際に該補聴器本体の一部が前記凹部の開口から上方に突出し、その補聴器本体の突出した部分に前記マイクが設けられている補聴器付眼鏡。
【００１２】
上記本発明によると、つるの自由端部の上面に凹部が形成されており、補聴器本体を差し込んだ際に、補聴器本体の一部が凹部の開口から上方に突出している。補聴器本体の突出した部分にマイクが設けられているため、集音しやすい。また、補聴器本体が突出しているため、着脱する際に指でつまみやすい。さらに、補聴器本体はつるの上方に突出するため、側方に突出する構成を採用した場合と比較して、眼鏡をかけた際に耳に当たりにくい利点がある。
【００１３】
また、本発明は、眼鏡と、
その眼鏡の左右一対のつるの内、少なくとも一方のつるの自由端部の上面に形成された凹部と、
その凹部に差し込まれ、その差し込まれた状態で前記凹部の開口から自身の一部が上方に突出する補聴器本体と、
前記凹部内に配置され、該凹部の底面に固着されるとともに、前記補聴器本体に係合するように前端部および後端部がそれぞれ折り曲げられた金属板から構成され、前端部に形成された前側折曲部と、後端部に形成された後側折曲部とのうち、少なくとも一方の折曲部が弾性変形することにより前記補聴器本体を着脱自在に保持するバネ部と、
前記補聴器本体のうち前記凹部の開口から突出する部分に設けられ、集音した音声を電気信号に変換するマイクと、
前記電気信号を増幅する増幅器と、
増幅された前記電気信号を音声に変換する音声出力部と、
前記補聴器本体に連なり、前記音声出力部からの音声を伝達する中空のパイプと、
そのパイプの端部に設けられ、該パイプを伝達した音声の出口になり、使用者の耳に装着される耳装着部と、
を備え、前記バネ部に形成された前側折曲部および後側折曲部のうち一方の折曲部には、前記つるに関して内側に位置する内側端部と、外側に位置する外側端部と、これら内側端部および外側端部を隔てる中央切欠部が形成され、その中央切欠部を前記パイプが通ることを特徴とする補聴器付眼鏡である。
【００１４】
上記本発明によると、バネ部は、金属板の前端部および後端部をそれぞれ折り曲げて構成されており、補聴器本体に係合するようにされている。そのため、補聴器本体を装着した際に、バネ部の前側折曲部と後側折曲部とでしっかりと補聴器本体を保持することができる。一方、補聴器本体には音声出力部（小型スピーカ）が設けられ、音声を出力する。その音声は、補聴器本体に連なるパイプの内部を伝達する。パイプの端部には音声の出口となる耳装着部が設けられている。使用者は、この耳装着部を耳に装着することにより、拡大された音声を聞くことができる。また、前側折曲部または後側折曲部には中央切欠部が形成されており、その中央切欠部をパイプが通るようになっている。そのため、前側折曲部または後側折曲部によってパイプの挿通が邪魔されることがない。
【００１５】
また、上記本発明は、以下のようにしてもよい。
前記バネ部に形成された前側折曲部および後側折曲部のうち少なくとも一方の折曲部は、
前記凹部の前記底面から上方に向けて折り曲げられた第一折曲部と、
その第一折曲部から上方に延びる前記バネ部が前記凹部の開口から突出しないように該バネ部を下方に向けて折り曲げた第二折曲部とを含む補聴器付眼鏡。
【００１６】
このようにすると、凹部の開口からバネ部が突出しないため、眼鏡をかけた時にバネ部の先端によって耳が傷つくことが無くなる。また、第二折曲部の内面が湾曲する形になり、この部分が補聴器本体と接触するので、補聴器本体に傷がつきにくくなる。
【００１７】
一方、本発明は、眼鏡と、
その眼鏡の左右一対のつるの内、少なくとも一方のつるの自由端部の上面に形成された凹部と、
その凹部に差し込まれ、その差し込まれた状態で前記凹部の開口から自身の一部が突出する補聴器本体と、
その補聴器本体を保持するためのバネ部であって、前記つるの内側面および外側面にそれぞれ回転自在に設けられた内側回転軸および外側回転軸と、それらの回転軸に連なり且つ該回転軸に対して折り曲げられた内側主軸および外側主軸と、それら内側主軸および外側主軸とを繋ぐ連結軸とを含み、前記内側主軸および外側主軸が前記つるの前方または後方に回転されて前記凹部に前記補聴器本体が着脱自在となる着脱自在状態と、前記凹部に前記補聴器本体が差し込まれた後に前記内側主軸および外側主軸が前記つるに対して直立姿勢に回動されることにより前記連結軸が前記補聴器本体の上面に当接して該補聴器本体と前記つるとの分離が防止される分離防止状態と、の二状態が取られるバネ部と、
前記補聴器本体に内蔵され、集音した音声を電気信号に変換するマイクと、
前記電気信号を増幅する増幅器と、
増幅された前記電気信号を音声に変換する音声出力部と、
を備えることを特徴とする補聴器付眼鏡である。
【００１８】
上記本発明によると、簡単な構造でありながら、眼鏡のつるに補聴器本体を着脱自在に保持することが可能となる。
【００１９】
さらに本発明は、
補聴器本体を装着するための凹部が自由端部に形成された左右一対のつると、前記凹部が形成されていない左右一対のつるとの合計４種のつるを用意するステップと、
その４種のつるの中から、顧客の耳の状態に合わせて、補聴器を使用する側には前記凹部が形成されたつるを選択し、前記補聴器を使用しない側には前記凹部が形成されていないつるを選択して眼鏡を作成するステップと、
を含むことを特徴とする補聴器付眼鏡の調整方法である。
【００２０】
このようにすると、顧客の耳の状態に合わせて、補聴器を使用する側にだけ凹部が形成されたつるを用い、補聴器を使用しない側には凹部が形成されていないつるを用いて眼鏡を作成することができる。補聴器を使用しない側には余計な凹部が無いため、その凹部を形成するための肉厚部分を形成する必要がなくなり、その結果、装着感が良くなる。なお、つるに左右両方とも凹部を形成しておき、補聴器を使用しない側には凹みを平坦化する蓋を取り付けてもよいが、上記方法を採用した方が結果的にコストが安くなる場合が多い。
【００２１】
上記本発明の補聴器付眼鏡の調整方法は、次のようにすることができる。すなわち、
前記凹部が形成された左右一対のつるは、該つるの中心となる芯金と、その芯金を取り囲むように設けられたモダン部とを備え、前記凹部は前記モダン部に形成され、
前記つるは、折り曲げられていない状態で用意され、
前記凹部が形成されたつるが選択された後に、その選択されたつるを、前記顧客の耳に合わせた位置において折り曲げる際に、その折り曲げた位置から前記凹部までの距離が離れすぎないように前記芯金を切断して長さ調整するステップを含む補聴器付眼鏡の調整方法。
【００２２】
このようにすると、顧客に合わせてつるの長さ調節をすることができる。そのため、折り曲げた位置から凹部までの距離が離れすぎてしまう不具合が無くなる。
【発明を実施するための最良の形態】
【００２３】
本発明の実施形態を、図面を参照しながら以下に説明する。
図１は本発明に係る補聴器付眼鏡１の平面図であり、図２Ａは同じく正面図、図２Ｂは側面図である。このように補聴器付眼鏡１は、レンズ２を入れるフレーム３と、そのフレーム３にヒンジ５によって回動自在に設けられた左右一対のつる４Ｌ，４Ｒを備える。つる４Ｌ，４Ｒの自由端部６には凹部Ｄが形成されており、その凹部Ｄに補聴器本体７が差し込まれている。この補聴器本体７には後述するマイク、電源、増幅器、音声出力部（小型スピーカ）が内蔵され、中空のパイプ１１が補聴器本体７から延びている。また、パイプ１１の端部には後述する耳装着部（図示しない）が設けられている。
【００２４】
補聴器本体７を眼鏡に装着して使用することにより、使用者は、補聴器本体７を紛失する危険性を大幅に減らせる。すなわち、眼鏡を使わず、補聴器本体７を単独で耳にかけて使用することも可能であるが、そのようにすると、補聴器本体７は小型であるため紛失しやすい。しかし、眼鏡と一体にして使用することにより、補聴器本体７を紛失しにくくなる。
【００２５】
次に、つる４Ｌの拡大平面図を図３Ａに示す。このように、つる４Ｌは金属製の芯金１０と、その芯金１０を取り囲む合成樹脂製のモダン部１７とを備える。モダン部１７の自由端部６は内側面６ａ（顔側の側面）、外側面６ｂ（耳側の側面）、上面６ｃを含み、上面６ｃに開口するように凹部Ｄが形成されている。また、凹部Ｄの前方には補聴器本体７からパイプ１１が通るためのパイプ挿通口１８が形成されている。
【００２６】
一方、凹部Ｄの底面６ｄには螺子孔９が形成されている。図３Ｂの一部切欠側面図に示すように、底面６ｄにバネ部８が配置され、螺子孔９に螺入された螺子１２によってバネ部８は固定されている。そして、このバネ部８に補聴器本体７が保持される。
【００２７】
図４に補聴器本体７の拡大斜視図を示す。このように、補聴器本体７は半円径状をしており、その頂上付近に第一マイク１４ａが露出している。また、補聴器本体７の前方には側面に窪部７ｂが形成され、その内部空間に第二マイク１４ｂが露出している。このように２個のマイクを配置することで、使用者の前方から聞こえる音と、上方から聞こえる音との双方を集音でき、立体感のある音声が聞こえるようになる。また、補聴器本体７には図示しない電源、増幅器、音声出力部（小型スピーカ）が内蔵されている。第一マイク１４ａおよび第二マイク１４ｂは集音した音声を電気信号に変換し、増幅器はその電気信号を増幅し、音声出力部はその電気信号に基づいて音声出力する。この音声はパイプ１１を通って耳装着部１３から放出される。本実施形態では、耳装着部１３はイヤホンとして構成されているものではなく、耳装着部１３自体に音声を出力するための小型スピーカ等が内蔵されていない。すなわち、耳装着部１３にはパイプ１１の中空空間と連通する開口部が形成されているだけである。このような構成にすることで、耳装着部１３を小型化することができる。
【００２８】
なお、耳装着部１３の代わりにイヤホンを用い、パイプ１１の代わりに導電ワイヤーを用いて、増幅器が増幅した電気信号をイヤホンにおいて音声変換するようにしてもよい。また、ワイヤレスにすることも可能である。すなわち、各マイク１４ａ，ｂが出力した電気信号を無線送信部（図示しない）によってイヤホンへ無線送信し、その無線信号をイヤホンに内蔵されている無線受信部で受信し、その後、音声変換するのである。
【００２９】
一方、図３Ｂに示すように、補聴器本体７の底面７ａは僅かに傾斜がつけられ、バネ部８に装着した際に底面７ａとバネ部８との間に隙間が形成される。上述したように、本実施形態ではバネ部８を固定するために螺子１２を使用しており、その螺子１２の頭部がバネ部８から突出しているが、その頭部の大きさは小さいため、上記隙間に収まっている。
【００３０】
次に、金属製のバネ部８の側面図を図５Ａに示し、平面図を図Ｂに示す。このように、バネ部８は一枚の金属板を前端部（レンズ側）と後端部において折り曲げた構造をしており、凹部Ｄの底面６ｄに配置される中央板部８ｃと、前側折曲部８ａと、後側折曲部８ｂと、螺子孔９’が形成されている。このうち前側折曲部８ａには、凹部Ｄに固着した際に使用者の顔側に位置する内側端部８ａ１と、耳側に位置する外側端部８ｂ１と、これら内側端部８ａ１および外側端部８ｂ１を隔てる中央切欠部１５とが形成されている。バネ部８を凹部Ｄへ固着し、補聴器本体７を装着すると、この中央切欠部１５およびパイプ挿通口１８（図３Ａ）をパイプ１１が通ることとなる。そのため、補聴器本体７から延びるパイプ１１を、前側折曲部８ａに邪魔されず無理なく外側へ出すことができる。
【００３１】
一方，バネ部８の後側折曲部８ｂは、中央板部８ｃから上方に向けて折り曲げられた第一折曲部８ｂ１と、凹部Ｄの開口から突出しないように先端を下方に向けて折り曲げた第二折曲部８ｂ２とを含む形状をしている。補聴器本体７を差し込む際には、第一折曲部８ｂ１が弾性変形するので、適度な力で補聴器本体７を保持することができる。また、保持している間は、少々の外力が補聴器本体７に加わったとしても、第一折曲部８ｂ１の弾性力により外れなくなる。また、第二折曲部８ｂ２の内面は湾曲しているので、補聴器本体７を傷つけにくい。すなわち、図１０に示すように、仮に第二折曲部８ｂ２を形成しなかったとすると、バネ部８の先端８ｓが切り口になっているため、補聴器本体７を装着する際に先端８ｓが当接して補聴器本体７の外面を傷つけやすくなる。また、凹部Ｄの開口から先端８ｓが突出した場合、使用者の耳や指を傷つける場合がある。それに対して図３Ｂの実施形態では、第二折曲部８ｂ２の内面が湾曲しているので補聴器本体７を傷つけにくく、また、使用者の耳等を傷つける恐れも少ない。
【００３２】
図５に戻る。上述したように、補聴器本体７を凹部Ｄの内面との摩擦によって保持しようとすると、経年劣化したり磨耗したりして外れやすくなるが、本発明のようにバネ部８を用いると、弾性力によって保持しているので、そのような問題が殆ど無い。
【００３３】
なお、本実施形態ではつる４Ｌ，４Ｒに対してバネ部８を固定するために、螺子１２を使用したが、螺子１２を使用せず、モダン部１７とバネ部８を一体成型してもよい。
【００３４】
次に、図１１に、本発明の別の実施形態をしめす。本発明は、図１１Ａに示すように、凹部Ｄの前端部に補聴器本体７と係合するための係合部６ｅを形成し（モダン部１７と一体に形成されている）、補聴器本体７の後端部のみを保持するバネ部８を設けてもよい。また、図１１Ｂに示すように、前端部に補聴器本体７と係合するための係合部６ｅを形成し、凹部ｄの底面にバネ部８を形成してもよい。この場合のバネ部８は、別部材として設けられたものではなく、モダン部１７を構成する合成樹脂と一体に形成されている。このようにしても、バネ部８の弾性力を利用して、長期間にわたって安定して補聴器本体７を保持することができる。
【００３５】
次に、図６Ａに使用状態を示し、図６Ｂに要部拡大図を示す。このように、補聴器付眼鏡１をかけ、耳装着部１３を耳に装着して使用する。この際、補聴器本体７はつる４Ｌの自由端部６から上方へ突出しているものの、耳の後ろに隠れているので目立ちにくい。また、この突出した部分に上述のマイク１４ａ，１４ｂが設けられているので集音しやすい。さらに、補聴器を使用しない時（例えば風呂に入る時）には突出部分を指でつまんで引き抜くことにより、容易に補聴器本体７を外すことができる。そのため、風呂などの湿気が多い場所に持ち込んで補聴器本体７を故障させてしまうことが少なくなる。
【００３６】
次に、本発明に係る補聴器付眼鏡１の調整方法について説明する。眼鏡の販売店では、凹部Ｄが形成されている左右一対のつる４Ｌ，４Ｒと、凹部Ｄが形成されていない左右一対のつる４Ｌ，４Ｒとの、合計４種類のつるを用意する。そして顧客が眼鏡を購入する際に、その顧客の耳の状態に合わせてつる４Ｌ，４Ｒを組み合わせ、眼鏡を作成する。すなわち、顧客が補聴器を使用する側には凹部Ｄが形成されているつるを選択し、補聴器を使用しない側には凹部Ｄが形成されていないつるを選択して、眼鏡を作成する。これにより顧客は、補聴器を使用する側にのみ凹部Ｄが形成された眼鏡を購入することができる。つまり、補聴器を使用しない側には余計な凹部Ｄが形成されていないので、これに伴って自由端部６の肉厚を薄くすることができ、使用感が良くなる。
【００３７】
なお、凹部Ｄが形成されている左右一対のつる４Ｌ，４Ｒのみを用意しておき、顧客が補聴器を使用しない側には、凹みを平坦化するための蓋を取り付けるようにしてもよい。このようにすると、製造したつる４Ｌ，４Ｒを有効に使用することができるが、蓋を別途製造する必要が生じるため、結果的にコストアップになってしまう場合が多い。そのため上述したように、凹部Ｄが形成されているものと形成されていないものを左右一対ずつ用意して、顧客の耳の状態に合わせて組み合わせる方法を採用する方が好ましい。
【００３８】
一方、図７Ａに示すように、眼鏡の販売店では、眼鏡のつる４Ｌ，４Ｒは折り曲げられていない状態で用意される。これは、顧客によって顔の大きさが異なるため、つる４Ｌ，４Ｒを折り曲げる位置が変わるからである。顧客が眼鏡を購入する際に販売員は、図７Ｂに示すように、その顧客の耳に最も適した位置を折り曲げる。しかし顧客によっては、図１０Ｂに示すように、折曲位置１９がモダン部１７の前の方にできてしまい、その結果、凹部Ｄと折曲位置１９の距離が離れてしまうことがある。このようになると、眼鏡をかけた際に補聴器本体７が耳から離れた場所に位置してしまい、耳装着部１３が耳に届かなかったり、補聴器本体７が耳に隠れずに目立ちやすいという問題が生じる。この場合には、一旦、モダン部１７を取り外し、芯金１０を切断して丁度良い長さにし、モダン部１７を嵌めてから折り曲げるとよい。
【００３９】
次に、図８および図９を用いて、補聴器付眼鏡１の別の実施例について説明する。この実施例に用いるバネ部１６は、図９に示すように、バネ性を持つ針金を折り曲げて形成したもので、内側回転軸１６ａ及び外側回転軸１６ｂと、その内側回転軸１６ａ及び外側回転軸１６ｂに対して略直角方向に折り曲げられた内側主軸１６ｃ、外側主軸１６ｄと、それら内側主軸１６ｃおよび外側主軸１６ｄを繋ぐ連結軸１６ｅとを含む構成とされている。そして内側回転軸１６ａおよび外側回転軸１６ｂは、つる４Ｌ，４Ｒの内側面６ａ及び外側面６ｂに設けられた軸孔に回転自在に嵌合する。この軸孔は、図８Ａの平面図に示すように、つる４Ｌの前後方向に対して互いにずれた位置に設けられている。つまり、内側回転軸１６ａおよび外側回転軸１６ｂは同一回転軸線上に存在しない。これにより、内側回転軸１６ａ、外側回転軸１６ｂ、連結軸１６ｅに捩れ応力が加わり、自身の弾性力によりバネ部１６は起立状態（図８Ｂ）のまま維持される。この後、図８Ｃに示すように、指Ｆをかけてバネ部１６に力を加え、つる４Ｌの前方に倒す。この状態では、補聴器本体７を凹部Ｄに着脱自在になる（着脱自在状態）。また、補聴器本体７を凹部Ｄに装着した後に指Ｆを離すと、図８Ｄに示すように、バネ部１６自身の持つ弾性力によって再び起立状態となり、補聴器本体７の上面に連結軸１６ｅが当接して、当該補聴器本体７が分離不能に保持される（分離防止状態）。なお、上記実施形態ではバネ部１６を前方に倒す構成を採用したが、後方に倒すようにしてもよい。
【図面の簡単な説明】
【００４０】
【図１】本発明に係る補聴器付眼鏡１の平面図。
【図２】同じく（Ａ）正面図（Ｂ）側面図。
【図３】（Ａ）つる４Ｌの拡大平面図（Ｂ）一部切欠側面図
【図４】補聴器本体７の拡大斜視図。
【図５】バネ部８の（Ａ）側面図（Ｂ）平面図。
【図６】（Ａ）補聴器付眼鏡１の使用状態説明図（Ｂ）使用状態における要部拡大図。
【図７】（Ａ）つる４Ｌを折り曲げていない状態（Ｂ）顧客に合わせてつる４Ｌを折り曲げた状態
【図８】本発明に係る補聴器付眼鏡１の他の実施例。
【図９】図８の実施例に用いるバネ部１６の拡大斜視図。
【図１０】（Ａ）バネ部８に第２折曲部８ｂ２を形成しなかった場合の拡大図（Ｂ）折曲位置１９と凹部Ｄが離れてしまった場合の例
【図１１】補聴器付眼鏡１の他の実施例。
【符号の説明】
【００４１】
１  補聴器付眼鏡
２  レンズ
３  フレーム
４Ｌ，４Ｒ  つる
５  ヒンジ
６  自由端部
７  補聴器本体
８  バネ部
８ａ  前側折曲部
８ｂ  後側折曲部
８ｂ１  第一折曲部
８ｂ２  第二折曲部
９  螺子孔
１０  芯金
１１  パイプ
１２  螺子
１３  耳装着部
１４  マイク
１５  中央切欠部
１６  （図７における）バネ部
１７  モダン部
【図１】
2007108254.tif 000003
【図２】
2007108254.tif 000004
【図３】
2007108254.tif 000005
【図４】
2007108254.tif 000006
【図５】
2007108254.tif 000007
【図６】
2007108254.tif 000008
【図７】
2007108254.tif 000009
【図８】
2007108254.tif 000010
【図９】
2007108254.tif 000011
【図１０】
2007108254.tif 000012
【図１１】
2007108254.tif 000013